(57)【要約】      （修正有）【課題】開封用ジッパー部の配送時の破れ難さは確保したままに、開封時の開封しやすさを向上させると共に、レター基材の取り出しやすさを向上させる。【解決手段】袋裏部となる第１の基材１１と、折り返し線を境にフラップ部を備え、第１の基材よりも少なくともフラップ部の幅だけ長く、袋表部となる第２の基材１２と、第２の基材をフラップ部の辺を除いた３辺で第１の基材と貼り合わせる第１の接着剤層１３と、第１及び第２の基材により形成される袋部に収容されるレター基材１４と、第２の基材の折り返し線の両側の所定の領域で第２の基材とレター基材とを貼り合せる第２の接着剤層１５と、第２の基材の前記折り返し線よりも内側であってレター基材と貼り合された部分に形成され、袋部を開封する開封用ジッパー部１６と、第２の基材のフラップ部と重なる位置であって、レター基材の裏面側に形成され、フラップ部を第１の基材に封着する封着部１７とを備えた。【選択図】図１
2006160326.tif 000002
【特許請求の範囲】
【請求項１】
袋裏部となる第１の基材と、
折り返し線を境にフラップ部を備え、前記第１の基材よりも少なくともフラップ部の幅だけ長く、袋表部となる第２の基材と、
前記第２の基材を前記フラップ部の辺を除いた３辺で前記第１の基材と貼り合わせる第１の接着剤層と、
前記第１及び第２の基材により形成される袋部に収容されるレター基材と、
前記第２の基材の前記折り返し線の両側の所定の領域で、前記第２の基材と前記レター基材とを貼り合せる第２の接着剤層と、
前記第２の基材の前記折り返し線よりも内側であって前記レター基材と貼り合された部分に形成され、前記袋部を開封する開封用ジッパー部と、
を備えた製袋レターパック。
【請求項２】
請求項１に記載の製袋レターパックにおいて、
前記第２の基材の前記フラップ部と重なる位置であって、前記レター基材の裏面側に形成され、前記フラップ部を前記第１の基材に封着する封着部を備えたこと、
を特徴とする製袋レターパック。
【発明の詳細な説明】
【技術分野】
【０００１】
本発明は、袋部にレター基材が収容される製袋レターパックに関するものである。
【背景技術】
【０００２】
一般的な封筒は、フラップ部が封緘されており、受取人は、周囲４辺の内１辺の端縁部を切り取って内容物を取り出す。
この場合に、ハサミやレターオープナーを別途用意することが一般的であるが、例えば、知人からの私信ではなく、ＤＭのような企業の販促用封筒の場合には、開封しづらいだけで、開封もされずに、即座にゴミ箱行きとなってしまうことがある。
そこで、端縁部にミシン目を設けたり、開封用ジッパーを設けておく方法が提案されている（例えば、特許文献１）。
【０００３】
これら開封用ミシン目や開封用ジッパーは、ミシン目の形状やカット比を適宜選定すれば、ある意味でいくらでも開封しやすくすることは可能であるが、開封しやすいことは、逆に、配送時等に意図しないタイミングで勝手に開封してしまう、といった問題が想定される。このため、必ずしも、開封しやく設定できなかった。開封した状態で届けば、逆の意味で受け取った側としては、不安な気持ちになるからである。
【０００４】
図２は、従来の製袋レターパックの一例を示す図である。
従来の製袋レターパック２０は、袋下基材２１と、レター基材２４と、袋上基材２２の３枚の基材が、左辺側で接着剤層２３−１、２３−２により、それぞれ貼り合せられており、袋上基材２２の右辺側のフラップ部２２ｂの裏面に、両面テープ等の封着部２７が設けられていた。また、袋上基材２２には、ミシン目を有する開封用ジッパー部２６が形成されていた。
【０００５】
従来の製袋レターパック２０は、上述した開封用ジッパー部２６の破れ難さと開封しやすさの問題の他に以下のような問題があった。
２枚目のレター基材２４の部分は、接着剤層２３側を割りミシン目で分離して、引き抜くような形態になる。このため、開封用ジッパー部１２の中央くらいの位置に、レター基材２４のエッジがくるように設計して、引き抜きやすくしているものの、やはり、取り出しやすさに問題が残る。
また、冊子を手封入しようとすると、確実にレター基材２４より下側又は上側（矢印Ｃ又はＤ参照）に封入することは困難であった。
【０００６】
【特許文献１】特開２００４−１１４５４４号公報
【発明の開示】
【発明が解決しようとする課題】
【０００７】
本発明の課題は、開封用ジッパー部の配送時の破れ難さは確保したままに、開封時の開封しやすさを向上させると共に、レター基材の取り出しやすさを向上させた製袋レターパックを提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。
請求項１の発明は、袋裏部となる第１の基材（１１）と、折り返し線を境にフラップ部を備え、前記第１の基材よりも少なくともフラップ部の幅だけ長く、袋表部となる第２の基材（１２）と、前記第２の基材を前記フラップ部の辺を除いた３辺で前記第１の基材と貼り合わせる第１の接着剤層（１３）と、前記第１及び第２の基材により形成される袋部に収容されるレター基材（１４）と、前記第２の基材の前記折り返し線の両側の所定の領域で、前記第２の基材と前記レター基材とを貼り合せる第２の接着剤層（１５）と、前記第２の基材の前記折り返し線よりも内側であって前記レター基材と貼り合された部分に形成され、前記袋部を開封する開封用ジッパー部（１６）と、を備えた製袋レターパックである。
請求項２の発明は、請求項１に記載の製袋レターパックにおいて、前記第２の基材の前記フラップ部と重なる位置であって、前記レター基材の裏面側に形成され、前記フラップ部を前記第１の基材に封着する封着部（１７）を備えたこと、を特徴とする製袋レターパックである。
【発明の効果】
【０００９】
以上説明したように、本発明によれば、第２の基材とレター基材とを貼り合せることで、開封用ジッパー部は、強度が向上し、破れ難さは確保したまま、開封しやすくなる。
また、レター基材にも、開封用ジッパー部が形成されることにより、開封後は、レター基材が分離したシート状態となり、取り出しやすくなる。
【発明を実施するための最良の形態】
【００１０】
本発明は、開封用ジッパー部の配送時の破れ難さは確保したままに、開封時の開封しやすさを向上させると共に、レター基材の取り出しやすさを向上させるという目的を、２枚目のレター基材１４にも、開封用ジッパー部１６ｂが形成され、１枚目の第２の基材１２の開封用ジッパー部１６ａと貼り合せることによって実現する。
【実施例】
【００１１】
以下、図面等を参照して、本発明の実施例をあげて、さらに詳しく説明する。
図１は、本発明による製袋レターパックの実施例を示す図である。
本実施例の製袋レターパック１０は、第１の基材１１と、第２の基材１２と、第１の接着剤層１３と、レター基材１４と、第２の接着剤層１５と、開封用ジッパー部１６と、封着部１７等とを備えている。
【００１２】
第１の基材１１は、袋裏部となる基材である。第２の基材１２は、折り返し線１２ａを境にフラップ部１２ｂを備え、第１の基材１１よりも少なくともフラップ部１２ｂの幅だけ長く、袋表部となる基材である。この第２の基材１２は、給紙方向の両側にピントラクタで送るためのマージナル部が形成されており、表面には、宛先等が印字される。
【００１３】
第１の接着剤層１３は、第２の基材１２をフラップ部１２ｂの辺を除いた３辺に形成され、第１の基材１１と第２の基材１２とを貼り合わせ、袋部を形成するための接着剤層である。この第１の接着剤層１３は、第２の基材１２の裏面にコの字型に形成されている。
【００１４】
レター基材１４は、第１及び第２の基材１１、１２により形成される袋部に収容され、個別情報等が印字される基材である。このレター基材１４は、第１及び第２の基材１１、１２よりも給紙方向の長さが短く、その給紙方向の片側（右側）だけにマージナル部が形成されている。
【００１５】
第２の接着剤層１５は、第２の基材１２の折り返し線１２ａの両側の所定の領域Ａで、第２の基材１２とレター基材１４とを貼り合せる接着剤層である。
【００１６】
開封用ジッパー部１６は、第２の基材１２の折り返し線１２ａよりも内側（左側）であってレター基材１４と貼り合された部分に形成され、袋部を開封する開封部である。
この開封用ジッパー部１６は、２本のミシン目を平行に形成し、両端を半円でつないだ長孔の形状をしており、そのミシン目は、第２の基材１２、第２の接着剤層１５及びレター基材１４を貫通している。つまり、第２の基材１２には、開封用ジッパー部１６ａが形成され、レター基材１４には、開封用ジッパー部１６ｂが形成されていることになる。
【００１７】
封着部１７は、第２の基材１２のフラップ部１２ｂと重なる位置であって、レター基材１４の裏面側に形成され、フラップ部１２ｂを第１の基材１１に封着する帯状の部分であり、粘着剤層１７ａと、剥離紙１７ｂとから構成されている。この実施例では、両面テープを貼付することにより形成されている。
【００１８】
本実施例の製袋レターパック１０は、上記のように構成されているから、以下のような種々の効果がある。
（１）２枚目のレター基材１４にも、開封用ジッパー部１６ｂが形成され、１枚目の第２の基材１２の開封用ジッパー部１６ａと貼り合わせる構成にしたことにより、開封後は、レター基材１４が分離したシート状態となり、取り出しやすくなる。
また、開封用ジッパー部１６は、第２の基材１２とレター基材１４とを貼り合せることで、用紙強度が向上し、開封しやすくなる。
【００１９】
（２）第１及び第２に接着剤層１３、１５等の周縁部の封緘部は、すべてパターン製袋となり、また、レター基材１４は、第２の基材１２に袋部の開口側に接着される。このため、手封入する冊子は、確実にレター基材１４の下に配置される（矢印Ｂ参照）ので、より自然な状態で開封される。
【００２０】
（３）上から１枚目の表紙（宛先）となる第２の基材１２と、２枚目のレター基材１４とを貼り合せる構成となっているため、宛先とレター内容のアンマッチングを防止することができる。
【００２１】
（４）手封入後の封緘用のフラップ部１２ｂ（両面テープの部分）は、２枚重ねとなるので、より強度が高くなる。
【００２２】
（変形例）
以上説明した実施例に限定されることなく、種々の変形や変更が可能であって、それらも本発明の均等の範囲内である。
（１）レター基材は、２枚以上設けてもよい。
（２）第１及び第２の基材の上下の接着剤層は、用途によっては、省略してもよい。
【図面の簡単な説明】
【００２３】
【図１】本発明による製袋レターパックの実施例を示す図である。
【図２】従来の製袋レターパックの一例を示す図である。
【符号の説明】
【００２４】
１０  製袋レターパック
１１  第１の基材
１２  第２の基材
１３  第１の接着剤層
１４  レター基材
１５  第２の接着剤
１６  開封用ジッパー部
１７  封着部
【図１】
2006160326.tif 000003
【図２】
2006160326.tif 000004